(57)【要約】【課題】  伝統的な墓石の風情を損なうことなく、納骨作業等を容易化することができ、その作業に係る安全性の向上も図れ、蓋の抜けによって外観印象を損ねることもなく、しかも、良好な保存状態を永続的に維持することができる紋付き納骨蓋を備えた墓石を提供すること。【解決手段】  納骨室が内部に形成された土台石部１に納骨室に連通する円孔状の開口部を設け、この土台石部１の開口部には、紋様部を前面に備えた納骨蓋３の後部に形設された栓体部を挿嵌可能とする一方、前記納骨蓋３の栓体部の胴周後部には突起部を設け、この突起部が挿入可能な案内溝を前記開口部11に配設すると共に、前記開口部の口縁部には案内溝を始端とする円弧状の切欠部を形成して、当該切欠部の円弧終端まで前記挿嵌した納骨蓋３の突起部を回動させることにより納骨蓋３を土台石部１に固定可能とした。【選択図】  図１
0003134505.tif 000002
【実用新案登録請求の範囲】
【請求項１】
納骨室Ｃが内部に形成された土台石部１に棹石２が載置されて成る墓石において、
前記土台石部１に納骨室Ｃに連通する円孔状の開口部11が設けられ、この土台石部１の開口部11には、紋様部31を前面に備えた納骨蓋３の後部に形設された栓体部32が挿嵌可能である一方、
前記納骨蓋３の栓体部32の胴周後部には突起部33が設けられ、この突起部33が挿入可能な案内溝12が前記開口部11に配設されると共に、前記開口部11の口縁部には案内溝12を始端とする円弧状の切欠部13が形成されて、当該切欠部13の円弧終端まで前記挿嵌した納骨蓋３の突起部33を回動させることにより納骨蓋３を土台石部１に固定可能であることを特徴とする紋付き納骨蓋を備えた墓石。
【請求項２】
土台石部１の前部に配置する水鉢台Ｐに開口部11が設けられていることを特徴とする請求項１記載の紋付き納骨蓋を備えた墓石。
【請求項３】
土台石部１の前部に配置する花立てＨに開口部11が設けられていることを特徴とする請求項１記載の紋付き納骨蓋を備えた墓石。
【請求項４】
土台石部１の開口部11の上部に案内溝12が形成されていることを特徴とする請求項１〜３の何れか一つに記載の紋付き納骨蓋を備えた墓石。
【考案の詳細な説明】
【技術分野】
【０００１】
本考案は、納骨蓋を備えた墓石の改良、詳しくは、伝統的な墓石の風情を損なうことなく、納骨又はその取出し作業を容易化することができ、その作業に係る安全性の向上も図れ、蓋の抜けによって外観印象を損ねることもなく、しかも、良好な保存状態を永続的に維持することができる紋付き納骨蓋を備えた墓石に関するものである。
【背景技術】
【０００２】
周知のとおり、墓石の構造においては土中や土台部内部に骨壺等を保管する納骨室を形成すると共に、その納骨室の開口部に設けた蓋を開けて骨壺等の収納又はその取出しを行えるようにしたものが一般的である。
【０００３】
そして、従来における墓石構造にあっては、＜特許文献１＞にあるような地中に納骨室を形成し、その上部に設けられた開口部に石板を載置したものがよく知られているが、その構造だと納骨室内に雨水が入って内部が湿り易いため、骨壺にカビが付着したり、湿気を好むナメクジの糞等で汚れたりして室内が不潔な状態になり易く、また、開蓋時には重い石板を持ち上げて横に移動させることも力仕事であったため、非力な女性や高齢者等にとって非常に不便な構造であった。
【０００４】
一方、従来においては、＜特許文献２＞にあるように、土台石内部に納骨室を形成し、その納骨室の開口部を土台石の芝台前部に配設して開口部に外側から嵌合蓋を取り付けた墓石構造も公知となっている。
【０００５】
しかしながら、上記従来の墓石構造においては、墓石が一見して常識と異なる外観になってしまうことから、伝統的なデザインを重視する信仰心の高い需要者にとっては抵抗感が強く、また、土台石に取り付けた納骨蓋に関しても開口部に挿嵌されただけの状態であったため、地震等の揺れで簡単に抜けてしまい、外観の印象を損ねることも多かった。
【０００６】
また、従来においては、図９に示すような土台石の前部に配置される水鉢台Ｐの家紋部に開口部を設け、その開口部に家紋が付された納骨蓋を嵌装すると共に、嵌挿する際、開口部内に着脱自在に突設した位置決めピンを前記納骨蓋に形成した凹溝に挿入して土台石に固定した構造も知られている。
【０００７】
ところが、上記従来の墓石構造においては、開蓋後に開口部のピンを取り外してから納骨等を行う必要があり、もしピンを外し忘れたまま開口部内に腕を突っ込んでしまった場合には、腕にピンが接触して怪我をしてしまう危険があった。
【特許文献１】実開昭５５−３３３７６号公報（第２−７頁、第１〜４図）
【特許文献２】特開平１１−１０７５８３号公報（第２−７頁、第１〜６図）
【考案の開示】
【考案が解決しようとする課題】
【０００８】
本考案は、この上記の問題に鑑みてなされたものであって、その目的とするところは、伝統的な墓石の風情を損なうことなく、納骨作業等を容易化することができ、その作業に係る安全性の向上も図れ、蓋の抜けによって外観印象を損ねることもなく、しかも、良好な保存状態を永続的に維持することができる紋付き納骨蓋を備えた墓石を提供することにある。
【課題を解決するための手段】
【０００９】
本考案者が、上記課題を解決するために採用した手段を添付図面を参照して説明すれば次のとおりである。
【００１０】
即ち、本考案は、納骨室Ｃが内部に形成された土台石部１に棹石２が載置されて成る墓石において、
前記土台石部１に納骨室Ｃに連通する円孔状の開口部11を設け、この土台石部１の開口部11には、紋様部31を前面に備えた納骨蓋３の後部に形設された栓体部32を挿嵌可能とする一方、
前記納骨蓋３の栓体部32の胴周後部には突起部33を設け、この突起部33が挿入可能な案内溝12を前記開口部11に配設すると共に、前記開口部11の口縁部には案内溝12を始端とする円弧状の切欠部13を形成して、当該切欠部13の円弧終端まで前記挿嵌した納骨蓋３の突起部33を回動させることにより納骨蓋３を土台石部１に固定可能とした点に特徴がある。
【００１１】
また、本考案においては、上記課題を解決するために、必要に応じて上記手段に加え、土台石部１の前部に配置する水鉢台Ｐに開口部11を設けるという技術的手段を採用することができる。
【００１２】
また、本考案においては、上記課題を解決するために、必要に応じて上記手段に加え、土台石部１の前部に配置する花立てＨに開口部11を設けるという技術的手段を採用することができる。
【００１３】
また、本考案においては、上記課題を解決するために、必要に応じて上記手段に加え、土台石部１の開口部11の上部に案内溝12を形成するという技術的手段を採用することができる。
【考案の効果】
【００１４】
本考案においては、納骨室が内部に形成された墓石の土台石部に円孔状の開口部を設けると共に、この土台部の開口部に、紋様部を前面に備えた納骨蓋の後部に形設された栓体部を挿嵌可能な構造としたことにより、納骨蓋を引き抜くだけの簡単な操作で開蓋することができるため、納骨室への骨壺等の収容又はその取出し作業に伴う労力を大幅に省力化することが可能となる。
【００１５】
更に本考案では、納骨蓋の栓体部の胴周後端に突起部を設け、この突起部を挿入可能な案内溝を前記開口部の上部に配設すると共に、開口部の納骨室側の口縁部に案内溝を始端とする円弧状の切欠部を形成したことによって、挿嵌した納骨蓋の突起部を前記切欠部の円弧終端まで回動させれば納骨蓋を位置決めした状態で土台部に固定することができるため、位置決めピンは不要となり、ピンの接触による怪我の心配もない。
【００１６】
しかも、上記納骨蓋の固定時においては、納骨蓋の突起部と切欠部がストッパーの役割を果たして納骨蓋の抜けを防止するため、地震等の揺れによって納骨蓋が開口部から飛び出してしまうことはなく、それによって外観印象が損なわれてしまうこともない。
【００１７】
また、土台部の前部に配置される水鉢の家紋位置に開口部を設ければ伝統的な墓石の風情を損なわないデザインで作製することができるため、需要者に抵抗感を与えてしまうこともなく、そしてまた、納骨蓋を嵌挿する開口部を墓石の前面位置に配設することによって、雨水の侵入が抑止されて良好な保存状態を永続的に維持することができる。
【００１８】
したがって、本考案により、納骨作業における利便性及び安全性に優れるだけでなく、骨壺の保存や外観の面でも有効な構造の墓石を提供できることから、本考案の実用的利用価値は非常に高いと云える。
【考案を実施するための最良の形態】
【００１９】
『実施例１』
本考案の実施例１を具体的に図示した図１から図５に基いて更に詳細に説明すると次のとおりである。まず、図中において符号１で指示するものは、土台石部であり、符号２で指示するものは、棹石である。次いで、符号３で指示するものは、納骨蓋である。
【００２０】
次に、本実施例の構成を以下から説明する。まず、本実施例においては、土台石部１である芝台Ｂ、中台Ｍ、上台Ｔを順に地上に設置して、上台Ｔに棹石２を載置すると共に、前記土台石部１である芝台Ｂ及び中台Ｍの内部には骨壺等を収容可能な納骨室Ｃを形成した（図１、図２参照）。
【００２１】
そして更に、土台石部１の中台Ｍの前面に納骨室Ｃに連通する窓部を設け、その窓部を塞ぐように前方に水鉢台Ｐを配置すると共に、水鉢台Ｐの中央部には、紋様部31を前面に備えた納骨蓋３の後部に形設された円柱状の栓体部32を挿嵌可能な円孔状の開口部11を開設した（図３参照）。
【００２２】
なお本実施例では、納骨蓋３の前面に家紋を彫刻して紋様部31を形成しているが、紋様部31には家紋以外の紋様を表わしても勿論よい。
【００２３】
一方、前記納骨蓋３の栓体部32の胴周後部には突起部33を設け、この突起部33を挿入可能な案内溝12を前記開口部11の上部に配設すると共に、開口部11の納骨室Ｃ側の口縁部には案内溝12を始端とする円弧状の切欠部13を形成して構成した（図４参照）。
【００２４】
上記のように構成したことによって、引き抜くだけの簡単な操作で納骨蓋３を開蓋することができるため、納骨又は骨壺等の取出し作業を省力的に行うことが可能となる。
【００２５】
そして、図５(a)に示す挿嵌された納骨蓋３の突起部33を、図５(b)に示すように前記切欠部13の円弧終端まで回動させれば納骨蓋３を位置決めした状態で土台石部１に固定できるため、位置決めピンも不要となる。
【００２６】
しかも、上記納骨蓋３を土台石部１に固定した際には納骨蓋３の突起部33と切欠部13がストッパーの役割を果たして地震等の揺れによる納骨蓋３の抜けも防止できる。
【００２７】
また、水鉢台Ｐの家紋位置に開口部11を設けたことにより、伝統的な墓石のデザインを崩さずに設計できるため、需要者に与える抵抗感は少なく、加えて、墓石の前面位置に開口部11を配設したことにより、雨水の侵入が抑制されて良好な保存状態を維持できる。
【００２８】
また本実施例では、切削加工により納骨蓋３の栓体部32に突起部33を一体的に形設したことにより、製造の容易化、及び製造コストの低廉化を図ることができる。
【００２９】
他方また、納骨蓋３の栓体部32に形成された突起部33に関してもその形状を所定長さの突条としたことにより突起部33に充分な強度を確保することができ、更に本実施例においては、土台石部１の開口部11に腕を入れた際、納骨室Ｃの下部にまで手が簡単に届くように開口部11の奥側下部を切削して水鉢台Ｐを作製している。
【００３０】
そしてまた、本実施例では、土台石部１の開口部11に設ける案内溝12及び切欠部13を、開蓋時に視認され難い開口部12の上部側に配置したことにより、デザインの違和感を解消することができる。
【００３１】
『実施例２』
次に、本発明の実施例２について図６に基いて以下に詳細に説明する。本実施例では、土台石部１の水鉢台Ｐ両側に配置される花立てＨ・Ｈの両方に開口部11・11を設けたことにより、開口部11に腕を入れて手が届く範囲を拡張することができるため、土台石部１に納骨室Ｃを広く形成することができる（図６参照）。
【００３２】
『実施例３』
次に、本発明の実施例３について図７に基いて以下に詳細に説明する。本実施例では、土台石部１の上台Ｔ内に納骨室Ｃを形成すると共に、上台Ｔの前面部に納骨室Ｃと連通する開口部11を直接設けることにより、水鉢台Ｐや花立てＨ・Ｈに設けるよりも大径の開口部11を開設することができる（図７参照）。
【００３３】
また、本考案は、概ね上記のように構成されるが、図示の実施形態に限定されるものではなく、「実用新案登録請求の範囲」の記載内において種々の変更が可能であって、例えば、土台石部１において開口部11を設ける場所は、通常家紋等が付される位置であって伝統的な墓石の風情を損なわない場所であれば、何れを選択することもできる。
【００３４】
また、納骨蓋３の紋様部31を形成する前面部も円型に限らず、図８に示すような紋様に合わせた形状であってもよく、何れも本考案の技術的範囲に属する。
【産業上の利用可能性】
【００３５】
近年においては、高齢化社会の到来によって墓石の需要が増々高まっており、需要者からは外観面及び使用面の両面において満足できる実用的な墓石が切望されている。
【００３６】
そのような中で、本考案の紋付き納骨蓋を備えた墓石は、伝統的なデザインを残したまま使用性の向上を図ることができ、しかも、先祖の遺骨の保存状態を良好に維持することができる有用な技術であることから、市場における需要は大きく、本考案の産業上の利用価値は非常に高いと云える。
【図面の簡単な説明】
【００３７】
【図１】本考案の実施例１における墓石を表わす全体斜視図である。
【図２】本考案の実施例１における墓石を表わす全体断面図である。
【図３】本考案の実施例１における墓石の納骨蓋の取付け構造を表わす全体斜視図である。
【図４】本考案の実施例１における墓石の納骨蓋の取付け構造を表わす全体斜視図である。
【図５】本考案の実施例１における墓石の納骨蓋の取付け状態を表わす状態説明図である。
【図６】本考案の実施例２における墓石を表わす全体断面図である。
【図７】本考案の実施例３における墓石を表わす全体斜視図である。
【図８】本考案の変形例における納骨蓋を表わす全体斜視図である。
【図９】従来における墓石の納骨蓋構造を表わす説明斜視図である。
【符号の説明】
【００３８】
１  土台石部
11  開口部
12  案内溝
13  切欠部
２  棹石
３  納骨蓋
31  紋様部
32  栓体部
33  突起部
Ｃ  納骨室
Ｂ  芝台
Ｍ  中台
Ｔ  上台
Ｐ  水鉢台
Ｈ  花立て
【図１】
0003134505.tif 000003
【図２】
0003134505.tif 000004
【図３】
0003134505.tif 000005
【図４】
0003134505.tif 000006
【図５】
0003134505.tif 000007
【図６】
0003134505.tif 000008
【図７】
0003134505.tif 000009
【図８】
0003134505.tif 000010
【図９】
0003134505.tif 000011